(57)【要約】      （修正有）【課題】タブを形成することができ、タブ形成のための湾曲されたテープがテープ保持部からテープが引き出される側に配置されるような、テープカッターを提供する。【解決手段】テープリール２に巻回されたテープが引き出される側の端部に設けられたテープ保持部５と回動可能なアーム６の先端に設けられたテープ切断部８を有する。アームの回動によってテープ切断部をテープ保持部から遠ざけてテープを伸張し、アームの回動によってテープ切断部をテープ保持部に近づけて伸張されたテープを湾曲させ、湾曲されたテープをつまむことによって湾曲されたテープをタブとする。テープ切断部を前記テープ保持部に近づけた状態にいて、テープ切断部をテープ保持部よりも下に配置する。【選択図】図７
0003174345.tif 000002
【実用新案登録請求の範囲】
【請求項１】
テープが引き出される側の端部に設けられたテープ保持部と回動可能なアームの先端に設けられたテープ切断部を有し、前記アームの回動によって前記テープ切断部を前記テープ保持部から遠ざけて前記テープ切断部と前記テープ保持部との間でテープを伸張させ、前記アームの回動によって前記テープ切断部を前記テープ保持部に近づけて伸張されたテープを湾曲させ、湾曲されたテープをつまむことによって湾曲されたテープをタブとすることのできるテープカッターにおいて、
前記テープ切断部を前記テープ保持部に近づけた状態において、前記テープ切断部が前記テープ保持部よりも下に配置されることを特徴とする、テープカッター。
【請求項２】
前記テープ保持部の前記テープ切断部寄りに、伸張されたテープを支持する板体が付され、
前記板体の先端部は、テープ幅方向に傾斜しており、テープ幅の両端の高さが０．５ｍｍ以上異なるものであることを特徴とする、請求項１に記載のテープカッター。
【請求項３】
前記板体は、テープが伸張された時にはテープの張力によって押下され、テープが湾曲された時にはテープを上方に押すものであることを特徴とする、請求項２に記載のテープカッター。
【請求項４】
前記アームをテープカッター本体に取り付ける支点が、前記テープ保持部よりも３０ｍｍ以上、下に配置されることを特徴とする、請求項１〜３のいずれか１項に記載のテープカッター。
【請求項５】
前記アームの先端の前記テープ切断部よりも前記テープ保持部側にテープ支持部を有し、
該テープ支持部はテープとの粘着が弱くなるように加工されたものであることを特徴とする、請求項１〜４のいずれか１項に記載のテープカッター。
【考案の詳細な説明】
【技術分野】
【０００１】
本考案は、タブを形成することのできるテープカッターに関するものである。
【背景技術】
【０００２】
片面テープ（以下、単に「テープ」と言う。）を切断する際に、切断されるテープの一端においてテープ同士を貼り合わせたタブを形成したいことがある。例えば、テープを剥がす時にタブをつまんで容易に剥がせるようにする目的でタブを形成したい。
切断する際にタブを形成することのできるテープカッターとして、テープカッター本体のテープが引き出される側の端部に設けられたテープ保持部と回動可能なアームの先端に設けられたテープ切断部を有し、前記アームの回動によって前記テープ切断部を前記テープ保持部から遠ざけて前記テープ切断部と前記テープ保持部との間でテープを伸張させ、前記アームの回動によって前記テープ切断部を前記テープ保持部に近づけて伸張されたテープを湾曲させ、湾曲されたテープをつまむことによって湾曲されたテープをタブとすることのできるものが知られている。特許文献１、特許文献２及び特許文献３には、かかるテープカッターが開示されている。
【０００３】
図１は、湾曲されたテープの状態を示す図である。テープ切断部８とテープ保持部５の相対的な位置関係及び形状に依存して、湾曲されたテープ４は、多くの場合に、図１に示す２通りの箇所のいずれかに配置される。（ａ）のようにテープが引き出される側に配置されると、湾曲されたテープ４をつまんでタブを形成した後に、タブ以外の部分（テープとして貼付して使用する部分）のテープを更に引き出すことが容易である。これに対し、（ｂ）のように上側に配置されると、湾曲されたテープ４をつまんでタブを形成した後に、タブ以外の部分のテープを更に引き出すためにテープの方向を変えねばならない。（ａ）のように配置されることが好ましい。
特許文献１、特許文献２及び特許文献３には、（ａ）のように配置させるための工夫は開示されていない。特許文献１の図６及び特許文献２の図７には（ｂ）のように配置されたものが描かれており、また特許文献３の図２には（ａ）と（ｂ）の中間の斜め方向に配置されたものが描かれており（このような斜め方向の配置となるのは極めて特殊な場合であると考えられるが、ここでは特許文献３の記載を尊重しておく。）、これらの特許文献において（ａ）のように配置させることが考慮されていないことは明らかである。
【先行技術文献】
【特許文献】
【０００４】
【特許文献１】特開２００４−２８４６８７号公報
【特許文献２】特開２００６−２９０５３１号公報
【特許文献３】特開２００９−０８４０４３号公報
【考案の概要】
【考案が解決しようとする課題】
【０００５】
解決しようとする問題点は、タブを形成することができ、タブ形成のための湾曲されたテープがテープ保持部からテープが引き出される側に配置されるような、テープカッターを提供することである。
【課題を解決するための手段】
【０００６】
本考案のテープカッターは、
テープが引き出される側の端部に設けられたテープ保持部と回動可能なアームの先端に設けられたテープ切断部を有し、前記アームの回動によって前記テープ切断部を前記テープ保持部から遠ざけて前記テープ切断部と前記テープ保持部との間でテープを伸張させ、前記アームの回動によって前記テープ切断部を前記テープ保持部に近づけて伸張されたテープを湾曲させ、湾曲されたテープをつまむことによって湾曲されたテープをタブとすることのできるテープカッターにおいて、
前記テープ切断部を前記テープ保持部に近づけた状態において、前記テープ切断部が前記テープ保持部よりも下に配置されることを特徴とする。
図２は、テープ湾曲の原理を示す図である。テープの応力により、テープ切断部８とテープ保持部５の相対的な位置関係及び形状に依存して、湾曲されたテープ４の位置が定まる。テープ切断部８とテープ保持部５の相対的な位置関係については、（ａ）のようにテープ切断部８がテープ保持部５よりも下に配置されている場合には、湾曲されたテープ４は、テープ保持部５からテープが引き出される側に配置されやすい。これに対し、（ｂ）のようにテープ切断部８がテープ保持部５よりも上に配置されている場合には、湾曲されたテープ４は、テープ保持部５の上に配置されやすい。
湾曲されたテープがテープ保持部からテープが引き出される側に配置されるようにするため、テープ切断部がテープ保持部よりも下に配置されるようにするものである。
【０００７】
本考案のテープカッターは、
前記テープ保持部の前記テープ切断部寄りに、伸張されたテープを支持する板体が付され、
前記板体の先端部は、テープ幅方向に傾斜しており、テープ幅の両端の高さが０．５ｍｍ以上異なるものであることを特徴とする。
図３は、テープ湾曲の原理を示す図である。湾曲されたテープ４の位置は、テープ切断部８とテープ保持部５の相対的な位置関係のみでなく、テープ切断部８とテープ保持部５の形状にも依存する。特に、湾曲されたテープ４がテープ保持部５に接する箇所における湾曲されたテープ４の局所的な方向〈図において矢印で示す方向〉は、湾曲されたテープ４の位置に大きく影響する。
図（ａ）に示すようにテープ保持部をテープが引き出される方向に向けて傾斜させて、湾曲されたテープ４の局所的な方向をテープが引き出される方向に近づけることで、湾曲されたテープがテープ保持部からテープが引き出される側に確実に配置されるようにすることができる。
図（ｂ）に示すように、テープ保持部に付された板体９によっても、湾曲されたテープ４の局所的な方向をテープが引き出される方向に近づけ、湾曲されたテープがテープ保持部からテープが引き出される側に確実に配置されるようにすることができる。
図４は、板体を示す図である。板体９は、図の左側に拡大して示すとおり、その先端部がテープ幅方向に傾斜しており、テープ幅の両端の高さが図にｄで示すだけ異なる。ｄは０．５ｍｍ以上である。これは、以下の効果を持つものである。湾曲されたテープ４は、使用前にテープリールに巻きつけられていたものである、テープの粘着力等の理由により、テープリールに巻きつけられていた部分とテープリールからテープ保持部５に向けて伸張されていた部分との境目において、下向きの折れ目が形成されている場合がある。図５は、折れ目の弊害を示す図である。図（ａ）のようにテープを伸張した後にテープ切断部８をテープ保持部５に近づけた時、下向きの折れ目１１によってテープの応力方向が変化し、図（ｂ）のようにテープ４がテープ保持部５とテープ切断部８との間において下側に移動してしまいタブを構成しないことがある。板体９のテープ幅の両端の高さが異なることで、この弊害が防止される。板体９の高さが低い側のテープは、伸張された時に板体が低いことによってたわみができる。板体９の高さが高い側のテープが板体９からテープ切断部８に向けて直線状に伸張されるのに比して、板体９の高さが低い側のテープは板体９からテープ切断部８までの距離よりもテープの長さが長くなり完全に直線状には伸張されないからである。このたわみが、下向きの折れ目１１によって生じる応力を緩和して、テープを図３のように上側に湾曲させる。
板体９により、湾曲されたテープが、テープ保持部５とテープ切断部８との間において下側に移動してしまうことなく、テープが引き出される側に確実に配置されるようにすることができる
【０００８】
本考案のテープカッターは、
前記板体は、テープが伸張された時にはテープの張力によって押下され、テープが湾曲された時にはテープを上方に押すものであることを特徴とする。
テープが湾曲された時にテープを上方に押すことにより、折れ目の弊害であるテープの下側への移動を防止する。これは、例えば以下のようにして容易に実現される。図３（ｂ）において、板体９を、板バネ１０を介してテープ保持部５に付せばよい。板バネ１０により、板体９は、テープが伸張された時にはテープの張力によって押下され、テープが湾曲された時にはテープを上方に押すものとなる。
【０００９】
本考案のテープカッターは、
前記アームをテープカッター本体に取り付ける支点が、前記テープ保持部よりも３０ｍｍ以上、下に配置されることを特徴とする。
タブを形成しつつテープを切断する際、（１）アームの回動によってテープ切断部をテープ保持部から遠ざけてテープをタブの長さのおよそ２倍の長さに伸張し、（２）アームの回動によってテープ切断部をテープ保持部に近づけて伸張されたテープを湾曲させ、湾曲されたテープをつまむことによって湾曲されたテープをタブとする、（３）タブ以外の貼付させる部分の長さだけのテープ引き出し、テープ切断部においてテープを切断する、以上の３段階の動作を行うこととなる。ここで、（１）において、アームの回動によってテープ切断部の上下位置が変動し、テープ切断部が下方に移動することとなることが多い。この結果、テープを伸張する方向は、テープが引き出される方向に対して下向きの角度の方向となるが、この角度が大きいと、上記（１）と（３）とでテープの方向が大きく変わり、操作しにくい。
図６は、アームの長さとテープの方向の関係を示す図である。テープの下向きの角度θは、アーム６が短いほど（支点７が上方にあるほど）大きくなってしまう。ここで、支点７がテープ保持部４の真下にあり、テープ切断部８をテープ保持部５に近づけた場合にテープ切断部８がテープ保持部５とほぼ同じ高さ（例えば１ｍｍだけ下）にあるとすると、おおよそ、ｓｉｎθ＝ｒ／２ｔの関係になる。ここで、ｒはテープを伸張する長さ、ｔは支点７とテープ保持部４の距離である。
貼付したテープを剥離することを容易にするためにタブを形成するならば、タブの長さは１５ｍｍもあれば十分である。ｒはタブの長さの２倍であり、３０ｍｍ以下となる。ここで、ｔが３０ｍｍよりも大きければ、ｓｉｎθが０．５よりも小さい、すなわちテープの下向きの角度が３０度よりも小さい。これは、操作を困難にするほどのものではない。
【００１０】
本考案のテープカッターは、
前記アームの先端の前記テープ切断部よりも前記テープ保持部側にテープ支持部を有し、
該テープ支持部はテープとの粘着が弱くなるように加工されたものであることを特徴とする。
上記（３）においてテープを切断する際に、安定した切断ができる。
【考案の効果】
【００１１】
本考案のテープカッターは、タブを形成することができ、タブ形成のための湾曲されたテープがテープ保持部からテープが引き出される側に配置される。このため、容易に操作が行える。操作の際のテープの方向の変化が小さく、テープを安定して切断できるので、さらに操作性が良い。
【図面の簡単な説明】
【００１２】
【図１】図１は、湾曲されたテープの状態を示す図である。
【図２】図２は、テープ湾曲の原理を示す図である。
【図３】図３は、テープ湾曲の原理を示す図である。
【図４】図４は、板体を示す図である。
【図５】図５は、折れ目の弊害を示す図である。
【図６】図６は、アームの長さとテープの方向の関係を示す図である。
【図７】図７は、テープカッターを示す図である。
【考案を実施するための形態】
【００１３】
以下、実際のテープカッターの形状を示す。なお、本考案の技術的範囲はこの実施例に限定されず、実用新案登録請求の範囲に記載されたものであれば、実施例と異なる形状であっても実施例と同様の効果を得ることができる。
【実施例１】
【００１４】
図７は、テープカッターを示す図である。
テープカッター１には、テープリール２が装着され、テープが引き出される側の端部にテープ保持部５が設けられている。テープ保持部５には、板体９が付されている。板体９は、テープ幅の両端の高さが０．５ｍｍ以上異なるものである。テープ保持部５の８０ｍｍ下方に支点７があり、アーム６は支点７を中心に回動する。アーム６の先端にはテープ切断部８が設けられている、テープ切断部８は、テープカッターに広く用いられている鋸刃状の金属体である。アーム６の先端には、テープ支持部９も設けられている。テープ支持部にはテープとの粘着が弱くなるようにフッ素樹脂加工が施されている。なお、フッ素樹脂加工に替えてニス塗布、表面平滑化、その他の方法によってもテープとの粘着を弱くすることができる。
【００１５】
以下の操作により、タブを形成してテープを切断する。
テープをテープリール２から引き出し、テープ保持部５にかけ、さらにテープ切断部８にかける。
板体９の高さの相違により、テープには、図において右側にたわみができている。
この際、テープ保持部５とテープ切断部８との距離がタブ形成用のテープの長さとなるが、この長さは、アーム６の位置による。アーム６の位置は、アーム６の回動を止めるための止金等によって必要に応じて調整することができる。
【００１６】
アーム６を回動させてテープ切断部８をテープ保持部５に近づけ、テープを湾曲させる。アームの回動はアームを指で押すことによって行うことができる。なお、本実施例にはないが、バネで付勢してスイッチ等によりアームを移動することも可能である。
テープ切断部８がテープ保持部５に近づけられた状態において、テープ切断部８はテープ保持部５のおよそ１ｍｍ下方に配置される。
湾曲されたテープは、テープ保持部からテープが引き出される側（図の左側）に配置される。テープのたわみにより、下向きの折れ目があっても、確実にこのように配置される。
【００１７】
湾曲されたテープをつまみ、タブを形成する。
タブをつまんだままでテープを引き出し、テープ切断部８においてテープを切断する。この際、テープ支持部９によってテープが支持されるので、切断の際にテープが捩れてしまうことがなく、安定した切断ができる。
【産業上の利用可能性】
【００１８】
タブを形成することができ、操作性が良いテープカッターなので、多くの企業及び個人による利用が考えられる。
【符号の説明】
【００１９】
１    テープカッター
２    テープリール
３    テープ
４    湾曲されたテープ
５    テープ保持部
６    アーム
７    支点
８    テープ切断部
９    板体
１０  板バネ
１１  折れ目
【図１】
0003174345.tif 000003
【図２】
0003174345.tif 000004
【図３】
0003174345.tif 000005
【図４】
0003174345.tif 000006
【図５】
0003174345.tif 000007
【図６】
0003174345.tif 000008
【図７】
0003174345.tif 000009